(57)【要約】【課題】家計簿を付ける際の手間や間違いの原因となっている、下位の収支表の数字を上位の収支表に費目毎に書き写す作業を無くす。【解決手段】１週間分の家計収支を記録する週間収支表と、１ヶ月分の家計収支を記録する月間収支表と、１年分の家計収支を記録する年間収支表とを有する家計簿において、費目毎の金額を手で書き写す作業を無くすため、下位の収支表の各欄のうちで、上位の収支表に転記すべき事項を記載する欄に転記シールを貼付し、上位の収支表に転記すべき事項をこの転記シールに記載させ、この転記シールを剥がして上位の収支表の転記欄に貼付するようにした。【選択図】図１
0003192216.tif 000002
【実用新案登録請求の範囲】
【請求項１】
１週間分の家計収支を記録する週間収支表と、１ヶ月分の家計収支を記録する月間収支表と、１年分の家計収支を記録する年間収支表とを有する帳簿と、該週間収支表と該月間収支表と該年間収支表のうちで、下位の収支表に貼付して一つ上位の収支表に転記すべき数字を記載させた後に剥がして上位の収支表の転記欄に貼付する転記用シールとを備えたことを特徴とする家計簿。
【請求項２】
前記週間収支表が、日単位で支出される家計の支出を１週間分記録する日毎支出記録欄と、該日毎支出記録欄に記録された１週間分の支出の合計を記録する週間日毎支出欄とを有し、前記月間収支表が、１ヶ月単位で支出される家計の支出を記録する月毎支出欄と、前記週間収支表の週間日毎支出欄の支出を１ヶ月分転記する週間日毎支出転記欄と、該週間日毎支出転記欄に転記された１ヶ月分の支出の合計を記録する月間日毎支出欄とを有し、前記年間収支表が、前記月間収支表の月毎支出欄の支出を１年分転記する月毎支出転記欄と、該月毎支出転記欄に記録された１年分の家計支出の合計を記録する年間月毎支出欄と、前記月間収支表の月間日毎支出欄の支出を１年分転記する月間日毎支出転記欄と、該月間日毎支出転記欄に記録された１年分の支出の合計を記録する年間日毎支出欄とを有し、前記転記用シールが、該週間日毎支出欄に貼付し、該日毎支出記録欄に記録された家計支出の合計を記録した後に剥がして週間日毎支出転記欄に貼付する週間日毎支出用シールと、該月間日毎支出欄に貼付し、該週間日毎支出転記欄に記録された支出の合計を記録した後に剥がして月間日毎支出転記欄に貼付する月間日毎支出用シールと、該月毎支出欄に貼付し、１ヶ月分の支出を記録した後に剥がして月毎支出転記欄に貼付する月毎支出用シールとからなることを特徴とする請求項１に記載の家計簿。
【請求項３】
前記月間収支表が月間収入欄を有し、前記転記用シールが、該月間収入欄に貼付し、１ヶ月分の収入を記録した後に剥がして前記年間収支表の月毎収入転記欄に貼付する月毎収入用シールを有していることを特徴とする請求項１又は２に記載の家計簿。
【請求項４】
前記転記用シールが裏面に貼剥自在な粘着層を有していることを特徴とする請求項１〜３のいずれかに記載の家計簿。
【請求項５】
前記週間日毎支出用シールのサイズが前記週間収支表の週間日毎支出欄及び前記月間収支表の週間日毎支出転記欄と略同一のサイズになっていることを特徴とする請求項１〜４のいずれかに記載の家計簿。
【請求項６】
前記月間日毎支出用シールのサイズが前記月間収支表の月間日毎支出欄及び前記年間収支表の月間日毎支出転記欄と略同一のサイズになっていることを特徴とする請求項１〜５のいずれかに記載の家計簿。
【請求項７】
前記月毎収入用シールのサイズが前記月間収支表の月間収入欄及び年間収支表の月間収入転記欄と略同一のサイズになっていることを特徴とする請求項１〜６のいずれかに記載の家計簿。
【考案の詳細な説明】
【技術分野】
【０００１】
本考案は、家計の費目別の支出を週単位、月単位又は年単位で明らかにすることによって、収入に対する支出の適否を費目別に判断し、家計の収支を健全に保つ家計簿に関するものである。
【背景技術】
【０００２】
家計簿は、日々の家計支出を費目別に記録し、この記録を週単位、月単位又は年単位で集計して、週単位、月単位又は年単位の家計支出を費目別に明らかにし、収入に対する支出の健全性を費目別に分析して、不要な費目の支出を抑制し、家計の支出を健全に保つ目的で使用されるものである。
【０００３】
家計簿としては種々の様式のものが販売されているが、多くの家計簿は、１週間分の家計収支を記録する週間収支表と、１ヶ月分の家計収支を記録する月間収支表と、１年分の家計収支を記録する年間収支表とを有している。そして、月間収支表は１２ヶ月分が設けられ、各月間収支表の前には１ヶ月分（最大６週間分）の週間収支表がそれぞれ設けられ、最初の頁又は最後の１２月の月間収支表の後に年間収支表が設けられている。
【０００４】
週間収支表は、例えば図５に示すように、１週間分（７日間分）の家計支出を日毎に費目別に記録する各日毎支出欄１０と、１週間分の各日毎支出欄１０の支出の合計を費目別に記録する週間日毎支出欄１２とを有している。週間収支表は１ヶ月分（最大６週間分）が連続する頁に設けられている。
【０００５】
月間収支表は、例えば図６に示すように、当該月に入ってきた収入を記録する月間収入欄１４と、１ヶ月単位で支出される、電気・ガス・水道代等の支出を記録する月毎支出欄１６と、１ヶ月分の日毎支出の合計を費目別に記録する月間日毎支出欄２０とを有している。
【０００６】
年間収支表は、例えば図７に示すように、月間収支表の月間収入欄１４の収入を１年分転記する月間収入転記欄２２と、１年分の月間収入転記欄２２の収入の合計を記録する年間収入欄２４と、月間収支表の月間日毎支出欄２０の支出を１年分転記する月間日毎支出転記欄２６と、月間日毎支出転記欄２６に転記された１年分の支出の合計を記録する年間日毎支出欄２８と、月間収支表の月毎支出欄１６の支出を１年分転記する月毎支出転記欄３０と、月毎支出転記欄３０に記録された１年分の支出の合計を記録する年間月毎支出欄３２とを有している。
【０００７】
この例の家計簿は、まず週間収支表の日毎支出欄１０に日毎の支出を費目別に記録し、日毎支出欄１０を１週間分記録した後、１週間分の支出の合計を週間収支表の週間日毎支出欄１２に費目別に記録する。週間収支表の日毎支出欄１０と週間日毎支出欄１２は１ヶ月分（最大６週間分）記録する。
【０００８】
次に、週間収支表の週間日毎支出欄１２の１ヶ月分の支出の合計を月間収支表の月間日毎支出欄２０に費目別に記録し、これを年間収支表の月間日毎支出転記欄２６に順次又は１年分をまとめて転記する。年間収支表の月間日毎支出転記欄２６に１年分の月間収支表の月間日毎支出欄２０の支出が転記された段階で、１年分の支出の合計を年間収支表の年間日毎支出欄２８に記録する。
【０００９】
月間収支表の月毎支出欄１６に１ヶ月単位で支出される、電気・ガス・水道代等の支出を費目別に記録し、この支出を年間収支表の月毎支出転記欄３０に順次又は１年分をまとめて転記する。月間収支表の月毎支出欄１６の支出が年間収支表の月毎支出転記欄３０に１年分転記された段階で、１年分の支出の合計を年間収支表の年間月毎支出欄３２に記録する。
【００１０】
月間収支表の月間収入欄１４に当該月の収入を記載し、この収入を年間収支表の月間収入転記欄２２に順次又は１年分をまとめて転記する。月間収支表の月間収入欄１４の収入が年間収支表の月間収入転記欄２２に１年分転記された段階で、１年分の収入の合計を年間収支表の年間収入欄２４に記録する。
【００１１】
家計簿は、このように、日々の家計支出を費目別に記録し、この記録を週単位、月単位又は年単位で集計して、週単位、月単位又は年単位の家計支出を費目別に明らかにすることによって、収入に対する支出の健全性を費目別に分析して、不要な費目の支出を抑制し、家計の支出を健全に保つことができる非常に有益なものである。
【００１２】
しかし、家計簿は上述したような記録作業を日々小まめに行わなければならず、しかも、多くの場合、一日が終わり、疲れている時にこのような記録作業を行うことになるので、家計簿を付ける作業は本質的に面倒なものである。
【００１３】
その上、従来の家計簿は、下位の収支表で合計して得られた数字を上位の収支表に費目毎にもう一度転記しなければならないので、記録作業が二度手間で、作業が面倒であるという問題があった。
【００１４】
また、従来の家計簿は、収支の数字を費目毎に転記する際に、頁をめくって下位の収支表と上位の収支表の間を何度も行き来しなければならないので、転記に手間と時間がかかるという問題があった。
【００１５】
また、従来の家計簿は、下位の収支表で合計して得られた数字を記憶して上位の収支表を捜し、記憶していた数字を上位の収支表に費目毎に転記しなければならないので、転記の際に転記間違いが生じ易いという問題があった。
【先行技術文献】
【特許文献】
【００１６】
【特許文献１】特開２００５−３２９６７１号公報
【特許文献２】実用新案登録第３１３１７３０号公報
【特許文献３】実用新案登録第３１２８３４１号公報
【考案の概要】
【考案が解決しようとする課題】
【００１７】
本考案が解決しようとする課題は、家計簿をつける際の手間や間違いの原因となっている支出金額を費目毎に書き写す作業を無くすことができない点である。
【課題を解決するための手段】
【００１８】
本考案は、費目毎の支出金額を手で書き写す作業を無くすため、下位の収支表の各欄のうちで、上位の収支表に転記すべき事項を記載する欄に転記シールを貼付し、上位の収支表に転記すべき事項をこの転記シールに記載させ、この転記シールを剥がして上位の収支表の転記欄に貼付するようにしたことを最も主要な特徴とする。
【考案の効果】
【００１９】
本考案の家計簿は、下位の収支表の各欄のうちで、上位の収支表に転記すべき事項を記載する欄に転記シールを貼付し、上位の収支表に転記すべき事項をこの転記シールに記載させ、この転記シールを剥がして上位の収支表の転記欄に貼付するようにしたので、下位の収支表に記載した費目毎の数字を上位の収支表に費目毎に書き写す作業を無くすことができ、従って、家計簿を付けるのが容易になるという利点がある。
【００２０】
また、本考案の家計簿は、下位の収支表の各欄のうちで、上位の収支表に転記すべき事項を記載する欄に転記シールを貼付し、上位の収支表に転記すべき事項をこの転記シールに記載させ、この転記シールを剥がして上位の収支表の転記欄に貼付するようにしたので、収支の数字を費目毎に転記する際に、頁をめくって下位の収支表と上位の収支表を何度も行き来しなくて済み、収支の数字の転記に手間と時間がかからなくなるという利点がある。
【００２１】
本考案の家計簿は、下位の収支表の各欄のうちで、上位の収支表に転記すべき事項を記載する欄に転記シールを貼付し、上位の収支表に転記すべき事項をこの転記シールに記載させ、この転記シールを剥がして上位の収支表の転記欄に貼付するようにしたので、下位の収支表の数字を費目毎に記憶して上位の収支表を捜し、記憶していた数字を上位の収支表に費目毎に書き写す作業を無くすことができ、従って、数字の転記の際に転記間違いが生じなくなるという利点がある。
【図面の簡単な説明】
【００２２】
【図１】図１は本考案に係る家計簿の週間収支表の一例を示す説明図である。
【図２】図２は本考案に係る家計簿の月間収支表の一例を示す説明図である。
【図３】図３は本考案に係る家計簿の年間収支表の一例を示す説明図である。
【図４】図４は本考案に係る家計簿の転記用シールの一例を示す説明図である。
【図５】図５は従来の家計簿の週間収支表の一例を示す説明図である。
【図６】図６は従来の家計簿の月間収支表の一例を示す説明図である。
【図７】図７は従来の家計簿の年間収支表の一例を示す説明図である。
【考案を実施するための形態】
【００２３】
家計簿の下位の収支表に記載した数字を上位の収支表に容易且つ間違いなく転記させるという目的を、簡単な方法で、家計簿の機能を損なわずに実現した。
【実施例１】
【００２４】
本考案に係る家計簿は、週間収支表、月間収支表及び年間収支表を備えた帳簿と、この帳簿に貼付する転記用シールとからなる。図１は本考案に係る家計簿の週間収支表の一例を示す説明図、図２は本考案に係る家計簿の月間収支表の一例を示す説明図、図３は本考案に係る家計簿の年間収支表の一例を示す説明図、図４は本考案に係る家計簿の転記用シールの一例を示す説明図である。
【００２５】
週間収支表は、１週間分の家計収支を記録するように構成され、月間収支表は、１ヶ月分の家計収支を記録するように構成され、年間収支表は、１年分の家計収支を記録するように構成されている。月間収支表は１２ヶ月分が設けられ、各月間収支表の前には１ヶ月分（最大６週間分）の週間収支表がそれぞれ設けられ、最後の１２月の月間収支表の後には年間収支表が設けられている。
【００２６】
週間収支表は、図１に示すように、１週間分（７日間分）の家計支出を日毎に費目別に記録する日毎支出欄１０と、１週間分の日毎支出欄１０の支出の合計を費目別に記録する週間日毎支出欄１２とを有している。週間収支表は１ヶ月分（６週間分）が連続する頁に設けられている。
【００２７】
月間収支表は、図２に示すように、当該月に入ってきた収入を記録する月間収入欄１４と、１ヶ月単位で支出される、電気・ガス・水道代等の支出を記録する月毎支出欄１６と、１ヶ月分の週間収支表の週間日毎支出欄１２の支出を転記する週間日毎支出転記欄１８と、週間日毎支出転記欄１８に記録された１ヶ月分の支出の合計を費目別に記録する月間日毎支出欄２０とを有している。
【００２８】
年間収支表は、図３に示すように、１年分の月間収支表の月間収入欄の収入を転記する月間収入転記欄２２と、１年分の月間収入転記欄２２の収入の合計を記録する年間収入欄２４と、１年分の月間収支表の月間日毎支出欄２０の支出を転記する月間日毎支出転記欄２６と、月間日毎支出転記欄２６に転記された１年分の支出の合計を記録する年間日毎支出欄２８と、１年分の月間収支表の月毎支出欄１６の支出を転記する月毎支出転記欄３０と、月毎支出転記欄３０に記録された１年分の支出の合計を記録する年間月毎支出欄３２とを有している。
【００２９】
転記用シールは、週間収支表と月間収支表と年間収支表のうちで、下位の収支表に貼付して一つ上位の収支表に転記すべき数字を記載させた後に剥がして上位の収支表の転記欄に貼付するものである。
【００３０】
転記用シールは、図４に示すように、週間日毎支出欄１２に貼付し、日毎支出欄１０に記録された家計支出の合計を記録した後に剥がして週間日毎支出転記欄１８に貼付する週間日毎支出用シール３４と、月間日毎支出欄２０に貼付し、週間日毎支出転記欄１８に記録された支出の合計を記録した後に剥がして月間日毎支出転記欄２６に貼付する月間日毎支出用シール３８と、月毎支出欄１６に貼付し、１ヶ月分の支出を記録した後に剥がして月毎支出転記欄３０に貼付する月毎収支用シール３６とからなる。
【００３１】
次に、この家計簿の週間収支表、月間収支表、年間収支表及び転記用シールの使用方法について順次説明する。
【００３２】
まず週間収支表の日毎支出欄１０に日毎の支出を費目別に記録し、日毎支出欄１０を１週間分記録した後、週間日毎支出欄１２に週間日毎支出用シール３４を貼付し、週間日毎支出用シール３４に１週間分の支出の合計を費目別に記録する。週間日毎支出用シール３４は日毎支出欄１０を１週間分記録する前に予め貼付しておいてもよい。週間収支表の日毎支出欄１０と週間日毎支出用シール３４には１ヶ月分記録する。支出の合計が記録された週間日毎支出用シール３４は順次又は１ヶ月分をまとめて剥がし、月間収支表の週間日毎支出転記欄１８に貼付する。
【００３３】
次に、月間収支表の月間収入欄１４と月毎支出欄１６に月毎収支用シール３６を貼付し、月毎収支用シール３６に当該月の収入と１ヶ月単位で支出された当該月の支出を記録する。そして、収入及び支出を１ヶ月単位で記載した後、月毎収支用シール３６を剥がし、年間収支表の月間収入転記欄２２及び月毎支出転記欄３０に順次又は１年分をまとめて貼付する。月毎収支用シール３６が１年分貼付された段階で、１年分の収入の合計を年間収支表の年間収入欄２４に記録し、１年分の月毎支出の合計を年間収支表の年間月毎支出欄３２に費目別に記録する。
【００３４】
次に、月間収支表の週間日毎支出転記欄１８に週間日毎支出用シール３４が１ヶ月分貼付された段階で、月間日毎支出欄２０に月間日毎支出用シール３８を貼付し、月間日毎支出用シール３８に１ヶ月分の支出の合計を費目別に記録し、これを剥がして年間収支表の月間日毎支出転記欄２６に貼付する。月間日毎支出用シール３８は週間日毎支出転記欄１８に週間日毎支出用シール３４が１ヶ月分貼付される前に予め貼付しておいてもよい。年間収支表の月間日毎支出転記欄２６に１年分の月間日毎支出用シール３８が貼付された段階で、１年分の支出の合計を年間収支表の年間日毎支出欄２８に記録する。
【００３５】
この家計簿は、転記シールを以上説明したように使用するので、下位の収支表に記載した費目毎の多くの数字を上位の収支表に費目毎に書き写す作業が無くなり、従って、家計簿を付けるのが容易になることがわかる。
【００３６】
また、この家計簿は、転記シールを以上説明したように使用するので、収支の数字を費目毎に転記する際に、頁をめくって下位の収支表と上位の収支表を何度も行き来する必要が無くなり、従って、収支の数字の転記に手間と時間がかからなくなることがわかる。
【００３７】
また、この家計簿は、転記シールを以上説明したように使用するので、下位の収支表の数字を費目毎に記憶して上位の収支表を捜し、記憶していた数字を上位の収支表に費目毎に書き写す作業が無くなり、従って、収支の数字の転記間違いが生じなくなることがわかる。
【産業上の利用可能性】
【００３８】
本考案は、上位の集計表に転記する事項を下位の集計表が含んでいる、家計簿以外の帳簿類について、上位の集計表に転記させるべき事項を下位の集計表から上位の集計表に転記させる用途にも適用できる。
【符号の説明】
【００３９】
１０  日毎支出欄
１２  週間日毎支出欄
１４  月間収入欄
１６  月毎支出欄
１８  週間日毎支出転記欄
２０  月間日毎支出欄
２２  月間収入転記欄
２４  年間収入欄
２６  月間日毎支出転記欄
２８  年間日毎支出欄
３０  月毎支出転記欄
３２  年間月毎支出欄
３４  週間日毎支出用シール
３６  月毎収支用シール
３８  月間日毎支出用シール
【図１】
0003192216.tif 000003
【図２】
0003192216.tif 000004
【図３】
0003192216.tif 000005
【図４】
0003192216.tif 000006
【図５】
0003192216.tif 000007
【図６】
0003192216.tif 000008
【図７】
0003192216.tif 000009